(57)【特許請求の範囲】
【請求項１】
包装すべき物品を包装袋の開口から導入する際に該開口を開放状態のまま保持する開口保持治具であって、
該開口保持治具は、包装袋の開口内で拡径可能な挿入筒部を備え、
該挿入筒部は、長手方向に沿った分割線によって分離された２つ割り構造を有し、
該２つ割り構造は、互いに合わせたときに包装袋の開口よりも小径の前記挿入筒部を形成すると共に、互いに係合又は離反する際にガイドとなる平行に配された２つのガイド芯と、係合が開放されたときに２つ割り構造を前記ガイド芯に沿って互いに離反するように付勢するバネとを内蔵し、
前記バネによって、２つ割り構造を離反させて挿入筒部を拡径することにより、包装袋が挿入筒部に保持され、袋の開口を開いた状態に維持されることを特徴とする開口保持治具。
【請求項２】
前記挿入筒部の外方端縁部の筒内壁面が滑らかに拡径したテーパー面を含むことを特徴とする請求項１に記載の開口保持治具。
【発明の詳細な説明】
【０００１】
【発明の属する技術分野】
本発明は、包装すべき物品を包装袋の開口から袋内部へ導入する際に、袋の開口を開いた状態のまま保持する開口保持治具に関するものである。
【０００２】
【従来の技術】
従来より、種々の物品の包装は、包装される被包装物品を保護してその保存期間を長くすること、包装物品の商品価値を向上させて購買意欲をそそることなどが目的としてあげられ、近年では被包装物品の形状や性質に応じた袋、容器等の包装物品が製造されている。
【０００３】
特に、環境（ゴミ）問題や強靱な包装袋の選定、被包装物品の保存性の高さ等によって、袋詰め包装が多くの商品に採用されている。袋詰め包装には、種々の包装方法があるが、多くの場合には、ロール状のフィルム又はチューブ状のフィルムから口の開いた袋を作製し、袋内に被包装物品を手詰め又は機械詰めによって充填した後、開いた口をシールして封止することが行われる。
【０００４】
袋内への被包装物品の充填に際しては、包装袋の開口が広い場合や被包装物品が袋表面への接着性の少ない場合であれば、何ら問題は生じないが、逆に包装袋の開口が狭い場合や、被包装物品が柔らかく、袋表面への接着性が高い場合等では、包装される物品を開口から装入する際に、開口が直ぐに閉塞してしまい容易に封入することができず、作業に手間が掛かり作業効率が非常に悪いのが現状である。
【０００５】
【発明が解決しようとする課題】
本発明は、包装袋の開口が狭い場合や、被包装物品が柔らかく、袋表面への接着性が高い場合等のように、包装袋内へ物品を袋詰めする際に袋の開口から容易に袋詰めを行うために、開口を開けた状態で保持することのできる開口保持治具を得ることを目的とする。
【０００６】
【課題を解決するための手段】
請求項１に記載された発明に係る開口保持治具は、包装すべき物品を包装袋の開口から導入する際に該開口を開放状態のまま保持する開口保持治具であって、
該開口保持治具は、包装袋の開口内で拡径可能な挿入筒部を備え、
該挿入筒部は、長手方向に沿った分割線によって分離された２つ割り構造を有し、
該２つ割り構造は、互いに合わせたときに包装袋の開口よりも小径の前記挿入筒部を形成すると共に、互いに係合又は離反する際にガイドとなる平行に配された２つのガイド芯と、係合が開放されたときに２つ割り構造を前記ガイド芯に沿って互いに離反するように付勢するバネとを内蔵し、
前記バネによって、２つ割り構造を離反させて挿入筒部を拡径することにより、包装袋が挿入筒部に保持され、袋の開口を開いた状態に維持されるものである。
【０００７】
請求項２に記載された発明に係る開口保持治具は、請求項１に記載の挿入筒部の外方端縁部の筒内壁面が滑らかに拡径したテーパー面を含むものである。
【０００８】
【発明の実施の形態】
本発明においては、包装すべき物品を包装袋の開口から導入する際に該開口を開放状態のまま保持する開口保持治具である。具体的な開口保持治具は包装袋の開口内で拡径可能な挿入筒部を備え、この挿入筒部は長手方向に沿った分割線によって分離された２つ割り構造を有し、更に、開口保持治具は２つ割り構造を離反させて挿入筒部を拡径することにより包装袋の開口を開いた状態に維持する拡径手段を備える。
【０００９】
これにより、包装袋の開口に２つ割り構造の挿入筒部を装入して２つ割り構造を離反させて挿入筒部を拡径することにより、拡径した挿入筒部が袋の開口を内側から外側方向へ広げようとして結果的に包装袋の開口を開放状態のまま保持することができる。
【００１０】
本発明の開口保持治具の好ましい態様としては、挿入筒部の外方端縁部の筒内壁面が滑らかに拡径したテーパー面を含む。これにより、包装袋内への品物の装入が容易となる。
【００１１】
【実施例】
図１は本発明の開口保持治具の一実施例の構成を示す説明図であり、ａ図は正面図、ｂ図は側面図、ｃ図は平面図である。この開口保持治具１０は、包装袋の開口への挿入方向に沿った分割線によって分離された２つ割り構造の分割片１１，１２と、２つの分割片１１，１２の係合面同士を合わせた際に形成される包装袋３０の開口３１よりも小径の挿入筒部１３及びこの挿入筒部１３を貫通して包装袋３０内部と外部とを連通する連通孔１４と、対向して保持された２つの分割片１１，１２を互いに離反するように付勢して挿入筒部を拡径する拡径手段としてのバネ１５とを備える。尚、拡径手段としては、バネ１５以外にも２つの分割片１１，１２を支持する支持部材を係合させたり離反させたりする駆動手段を用いても良い。
【００１２】
また、２つの分割片１１，１２を連結し２つの分割片１１，１２が係合又は離反する際にガイドとなる平行に配された２つのガイド芯１６が分割片１２にネジ１７で固定されている。
【００１３】
図２及び図３は図１の開口保持治具の包装袋への装着を示す説明図であり、各工程の平面図、側面図を示している。図２のａ図に示す通り、包装袋３０の開口３１への開口保持治具１０の装着は、２つの分割片１１，１２が互いに係合されて、挿入筒部１３が包装袋３０の開口３１の内径よりも小径として、挿入筒部１３を包装袋３０開口３１に挿入させる。
【００１４】
図２のｂ図に示すように、挿入筒部１３は傾斜辺２０が形成されているため、開口３１に挿入筒部１３の先端部が挿入された後には、傾斜辺２０に沿って開口３１の端部は挿入され、図３のｃ図に示すように、開口３１の端部が開口保持治具１０の縁部１９に当接するまで挿入される。
【００１５】
図３のｄ図に示すように、包装袋３０の開口３１が開口保持治具１０の縁部１９に当接した際に、２つの分割片１１，１２の係合を開放することにより、バネ１５によって２つの分割片１１，１２が互いに離反する。これに伴い挿入筒部１３が拡径となり、包装袋３０は開口保持治具１０の挿入筒部１３に保持される。
【００１６】
この状態で、包装されるべき物品が連通孔１４を通過して包装袋３０内部に導入される。尚、外側の連通孔１４端部２１は、テーパー状となっているため、物品の導入が容易となっている。
【００１７】
この開口保持治具１０を用いた袋詰作業は、作業者の手作業によって行ってもよいが、機械化によって行ってもよい。図４は半機械化の袋詰作業を行う袋詰装置の一実施例の正面構成を示す説明図である。図５は図４の袋詰装置の袋詰用治具の動作を説明する説明図である。
【００１８】
図５のａ図に示す通り、袋詰用治具５０を構成する筒状本体５１，５２を開いて、イカげそのような被包装物品３３をげそ先端を内側にして一方の対向片５９と筒状本体５１先端からなる挿入先端部５３上に配する。ｂ図に示す通り、他方の筒状本体５２を閉じる。ｃ図に示す通り、挿入先端部５３が包装袋３０の一端部の開口３１から対向する他端部３２まで挿入されている。ｄ図に示す通り、作業者は包装袋３０を介して対向する一対の対向片５９同士に開けられた間隙６０の各々に指を入れて被包装物品３３を把持しつつ、ｅ図に示す通り、袋詰用治具５０から包装袋と共に被包装物を引き抜くことにより、包装袋内部に被包装物品３３が残置され、袋詰めすることができる。
【００１９】
図４に示す通り、袋詰用治具５０の筒状本体５１，５２を水平状態で、第１位置としての被包装物品保持位置から第２位置としての袋詰め位置へ搬送する治具搬送手段として、周面が対向して配された２つの歯車３６に渡された無端のチェーンベルト３５上に袋詰用治具５０が等間隔で後端部を固定して複数本配されている。
【００２０】
尚、第１位置は袋詰用治具５０が一方の歯車から上部の水平面に至った箇所がよく、第２位置は第１位置から所定の距離離れた袋詰用治具５０が他方の歯車へ至る手前がよい。袋詰用治具５０はチェーンベルト３５によって第１位置から第２位置へ数回に分けて間欠動作をする。
【００２１】
また、第２位置に止まった袋詰用治具５０の軸方向の対向位置には、止まっている袋詰用治具５０の筒状本体５１，５２へ包装袋３０の開口３１を被せる移動手段としての包装袋供給装置３７が配されている。
【００２２】
包装袋供給装置３７は、開口３１のみが開放された包装袋３０が積層状態で斜めに保持された包装袋ホルダ３８から、１枚の包装袋３０を装着位置に供給する供給アーム３９が備わっている。供給アーム３９の先端部にはホルダ最下層の包装袋３０を吸引する第１吸引手段４０が装着されており、第１吸引手段４０で固着した包装袋３０は供給アーム３９によって水平位置に待機される。尚、包装袋３０ホルダ３８は包装袋３０の上下部を保持しているため、供給アーム３９の駆動によって、１枚の包装袋３０を引き出すことができる。
【００２３】
包装袋３０が水平位置に待機されると、供給アーム３９の動作を阻害しないために避難位置へ避難していた第２アーム４１の第２吸引手段４２と第３アーム４３の第３吸引手段４４とが包装袋３０の開口３１縁部に上方及び下方から対向して配される。その後、第２吸引手段４２が第２アーム４１によって下方に下がり、包装袋３０に接触させた後第２及び第３吸引手段４２，４４が駆動して、包装袋３０の上下面を吸着した後、第２吸引手段を第２アーム４１で上方に持ち上げることにより、包装袋３０の開口が開放される。
【００２４】
開放された包装袋３０の開口に第２アーム４１と第３アーム４３とがピストン４５によって連動して前方（開口保持治具１０方向）へ動き、開口保持治具１０が装着される。２つの分割片１１，１２の周側面には各々支持体１８によって固定され、各々の支持体１８が下部の支持体駆動部４６によって互いに係合する方向に駆動される。また、支持体駆動部４６は摺動ピストン４７によって袋詰用治具５０の軸方向に移動可能となっている。
【００２５】
開放された包装袋３０開口への開口保持治具１０の装着は、支持体駆動部４６によって２つの分割片１１，１２が互いに係合されて、挿入筒部１３が包装袋３０の開口よりも小径とする。摺動ピストン４５によって開放された包装袋３０開口を開口保持治具１０の方向へ移動させ、挿入筒部１３を包装袋３０開口に挿入させる。
【００２６】
包装袋３０開口が開口保持治具１０の縁部１９に当接した際に、支持体駆動部４６の駆動を止めることにより、バネ１５によって２つの分割片１１，１２が互いに離反する。これに伴い挿入筒部１３が拡径となり、包装袋３０開口を保持する。第２及び第３吸引手段４２，４４の吸引を止めることにより、包装袋３０は開口保持治具１０の挿入筒部１３に保持される。
【００２７】
この状態で、摺動ピストン４７を第２位置に止まった袋詰用治具５０方向へ伸張させることにより、連通孔１４を介して袋詰用治具５０の筒状本体５１，５２が包装袋３０の内部に挿入される。尚、袋詰用治具側の連通孔１４は、テーパー状となっているため、筒状本体５１，５２の挿入が容易となっている。
【００２８】
【発明の効果】
本発明は以上説明した通り、包装袋内へ物品を袋詰めする際に袋の開口から容易に袋詰めを行うために、開口を開けた状態で保持することのできる開口保持治具を得ることができるという効果がある。
【図面の簡単な説明】
【図１】本発明の開口保持治具の一実施例の構成を示す説明図であり、ａ図は正面図、ｂ図は側面図、ｃ図は平面図である。
【図２】図１の開口保持治具の包装袋への装着工程を示す説明図である。
【図３】図２に引き続く装着工程を示す説明図である。
【図４】半機械化の袋詰作業を行う袋詰装置の一実施例の正面構成を示す説明図である。
【図５】図４の袋詰装置の袋詰用治具の動作を説明する説明図である。
【符号の説明】
１０    …開口保持治具、
１１，１２…分割片、
１３    …挿入筒部、
１４    …連通孔、
１５    …バネ（付勢手段）、
１６    …ガイド芯、
１７    …ネジ、
１８    …支持体、
１９    …縁部、
２０    …傾斜辺、
２１    …連通孔端部、
３０    …包装袋、
３１    …開口、
３２    …他端部、
３３    …被包装物品、
３５    …チェーンベルト、
３６    …歯車、
３７    …包装袋供給装置、
３８    …包装袋ホルダ、
３９    …供給アーム、
４０    …第１吸引手段、
４１    …第２アーム、
４２    …第２吸引手段、
４３    …第３アーム、
４４    …第３吸引手段、
４５    …ピストン、
４６    …支持体駆動部、
４７    …摺動ピストン、
５０    …袋詰用治具、
５１，５２…筒状本体、
５３    …挿入先端部、
５９    …対向片、
６０    …間隙、
【図１】
0004014199.tif 000002
【図２】
0004014199.tif 000003
【図３】
0004014199.tif 000004
【図４】
0004014199.tif 000005
【図５】
0004014199.tif 000006